Podtech/llm-jp-corpus-v4-ja_patent huggingface dataset:
(57)【要約】  本発明は、衛生を提供するための電子回路システムに関し、これは紫外線の使用により、冷蔵庫及び冷蔵室において長い時間に成長する有害なバクテリアを回避及び破壊するように設計されている。
2016526662.tif 000002
【特許請求の範囲】
【請求項１】
有害なバクテリアが冷蔵庫及び冷蔵室において成長しないことを確実にするための、衛生を提供するための電気回路により構成される（comprised by）衛生システムであって、前記電気回路に統合される紫外線供給器（１４）と、前記回路を外部要因から保護する外側のケース（１０）と、前記回路の冷蔵庫ドアとの統合を可能にするスイッチ（１５）と、前記回路の断続的な動作による電力の節約を提供するマルチバイブレータ（８〜９）と、白色ＬＥＤ（１２）と、ＬＤＲ（１１）と、トライアック（１３）を備えていることを特徴とする、衛生システム。
【発明の詳細な説明】
【技術分野】
【０００１】
本発明は、衛生を提供するための電子回路システムに関し、これは紫外線の使用により、冷蔵庫及び冷蔵室において長い時間に成長する有害なバクテリアを回避及び破壊するように設計されている（図１）。
【背景技術】
【０００２】
（技術分野及び技術の状態）
いくつかの有害なバクテリアが、冷蔵庫において長期に保持される食品上において成長することが理解された。
【０００３】
利用可能である既知のシステムによれば、冷蔵庫は冷却器として使用される。それらは、バクテリアを防ぐためのシステムを欠く。
【発明の開示】
【発明が解決しようとする課題】
【０００４】
本発明により、冷蔵庫内におけるバクテリアの成長を防止することが目的とされる。
【０００５】
前記技術は、白物家電部門において使用されることが目的とされる。
【０００６】
（本発明により解決されることが目的とされる技術的問題）
冷蔵庫又は冷却器の最も重要な特性は、冷却によってそれらの中に含まれる食品を健全な態様により保存するそれらの能力である。しかし、それらの装置内の湿気のある冷たい環境は、バクテリアの繁殖及び成長のための環境をも構成する。紫外線の手段により、人間の健康を直接的に脅かすこれらのバクテリアを破壊することが可能となる。本発明は、人間の健康を脅かすバクテリアを回避及び破壊するために紫外線を利用するシステムの発見を含む。
【課題を解決するための手段】
【０００７】
本発明の目的を達成することが理解される冷却器用の電子衛生システムは、添付の図面において図示される。
【発明を実施するための最良の形態】
【０００８】
（発明の説明）
冷却器用電子衛生システムは、電気回路（図１）と紫外線ランプ（１４）により構成される（comprised by）。前記システムが冷蔵庫内部の適切な位置に配置されるとき、これは冷蔵庫におけるバクテリアの成長を防止する。紫外線が個人を害しないことを確実にするために、スイッチ（１５）は冷蔵庫のドアが開けられる瞬間にネットワーク電流を遮断する。紫外線ランプ（１４）は、機能しなくなる。回路は、ドアが閉じられるときに起動される。ところで、電力節約を提供するために、マルチバイブレータ（８〜９）の補助により、紫外線ランプ（１４）は交互の態様により機能するようになり、かつ機能しなくなる（例えば、これは１分間についてオンのままとなり、次の１分間についてオフになるなど）。この方法により、紫外線ランプ（１４）は１日につき１２時間動作することが可能にされる。
【０００９】
冷却器用電子衛生システムにおいて、冷蔵庫ドア上のスイッチ（１５）は、ドアが閉じられるときにオン状態を仮定する一方、ドアが開かれるときにオフ状態を仮定する。マルチバイブレータ（８〜９）の出力には白色ＬＥＤ（１２）が存在する。このＬＥＤ（１２）は、入力する方形波に従って点滅する。ＬＥＤ（１２）とＬＤＲ（１１）は遮光ケース（１０）に含まれるため、ＬＤＲ（１１）の抵抗はＬＥＤ（１２）の点滅と並行して増加又は減少する。このことは、トライアック（１３）に導通と絶縁の間を交互の態様により切り替えさせる。トライアック（１３）に接続される紫外線ランプ（１４）は、律動的に点滅する。この態様により、冷蔵庫内部のバクテリアの成長は、紫外線の使用により防止される。
【００１０】
図中のトランジスタ（８及び９）は、方形波の形態により電流を生成する。抵抗（１及び４）は、トランジスタについての供給電流を決定する。抵抗（２及び３）とキャパシタ（６及び７）は、マルチバイブレータにより生成される方形波の形状及び周波数を決定するために、積Ｒ×Ｃである時間に従って放電する。
【産業上の利用可能性】
【００１１】
(本発明の産業上の適用可能性)
本発明のシステムは、白物家電部門において使用される冷蔵庫又は冷却器内に配置されることが予定される。システムは同一のままであるが、紫外線ランプ（１４）と電気回路（図１）は、冷蔵庫及び冷却器の物理的構造に適合する態様により、異なるブランド及び製造工程に従って冷蔵庫及び冷却器の適切な位置において電気・電子技術者により配置されるであろう。
【図面の簡単な説明】
【００１２】
【図１】回路の図である。
【符号の説明】
【００１３】
図面の部分には参照符号が割り当てられ、これらについての指定は以下に示される。
【００１４】
１，２，３，４，５  抵抗
６，７  キャパシタ
８，９  ＮＰＮトランジスタ
１０  金属ケース
１１  ＬＤＲ
１２  ＬＥＤ
１３  トライアック
１４  紫外線ランプ
１５  冷蔵庫ドア上のスイッチ（これはドアが閉じられるときにオンになる。これはドアが開かれるときにオフになる。）
【図１】
2016526662.tif 000003
【国際調査報告】
2016526662.tif 000004
2016526662.tif 000005
2016526662.tif 000006